(57)【要約】【課題】既存のフォトニックネットワークを活用しつつ、ユーザ要求に応じて、特定のユーザ端末を収容するエッジルータ間に、簡単かつ確実に、物理リンクおよび転送経路を動的に設定して、通信容量を一時的に拡張できるようにする。【解決手段】ユーザ端末ＵＴ１からエッジルータＥＲ１を介して光パス制御装置ＣＮＴにパス設定要求を送る。光パス制御装置ＣＮＴは、パス設定要求に記述されている送信元ユーザアドレスから送信元エッジルータＥＲ１を特定し、宛先ユーザアドレスから宛先エッジルータＥＲ３を特定し、特定した送信元エッジルータＥＲ１と宛先エッジルータＥＲ３との間に光パスＰＡ（物理リンクおよび転送経路）を割り当てる。【選択図】  図９
2006245894.tif 000002
【特許請求の範囲】
【請求項１】
ユーザ端末を収容したユーザ端末収容装置間に設定する転送経路を制御する転送経路制御装置において、
ユーザからの送信元ユーザアドレスと宛先ユーザアドレスが記述されたパス設定要求を受信する手段と、
受信した前記パス設定要求に記述されている送信元ユーザアドレスからそのアドレスが割り当てられた送信元のユーザ端末を収容する送信元ユーザ端末収容装置を特定する手段と、
受信した前記パス設定要求に記述されている宛先ユーザアドレスからそのアドレスが割り当てられた宛先のユーザ端末を収容する宛先ユーザ端末収容装置を特定する手段と、
特定された前記送信元ユーザ端末収容装置と前記宛先ユーザ端末収容装置との間に、物理リンクおよび転送経路を割り当てる手段と
を備えたことを特徴とする転送経路制御装置。
【請求項２】
ユーザ端末を収容したユーザ端末収容装置間に設定する転送経路を制御する転送経路制御装置において、
前記ユーザ端末収容装置に収容されたユーザ端末のアドレスとそのユーザ端末収容装置の識別子とを収集しその関係を示すテーブルを作成する手段と、
ユーザからの送信元ユーザアドレスと宛先ユーザアドレスが記述されたパス設定要求を受信する手段と、
受信した前記パス設定要求に記述されている送信元ユーザアドレスが割り当てられた送信元のユーザ端末を収容する送信元ユーザ端末収容装置を前記テーブルを参照して特定する手段と、
受信した前記パス設定要求に記述されている宛先ユーザアドレスが割り当てられた宛先のユーザ端末を収容する宛先ユーザ端末収容装置を前記テーブルを参照して特定する手段と、
特定された前記送信元ユーザ端末収容装置と前記宛先ユーザ端末収容装置との間に、物理リンクおよび転送経路を割り当てる手段と
を備えたことを特徴とする転送経路制御装置。
【請求項３】
請求項２に記載された転送経路制御装置において、
前記テーブルは、仮想プライベートネットワーク毎に作成され、
前記パス設定要求は、送信元ユーザアドレスと宛先ユーザアドレスと仮想プライベートネットワークの識別子が記述され、
前記送信元ユーザ端末収容装置を特定する手段は、受信した前記パス設定要求にその識別子が記述されている仮想プライベートネットワークに対して作成されている前記テーブルを参照して、そのパス設定要求に記述されている送信元ユーザアドレスが割り当てられた送信元のユーザ端末を収容する送信元ユーザ端末収容装置を特定し、
前記宛先ユーザ端末収容装置を特定する手段は、受信した前記パス設定要求にその識別子が記述されている仮想プライベートネットワークに対して作成されている前記テーブルを参照して、そのパス設定要求に記述されている宛先ユーザアドレスが割り当てられた宛先のユーザ端末を収容する宛先ユーザ端末収容装置を特定する
ことを特徴とする転送経路制御装置。
【請求項４】
コンピュータに、
ユーザからの送信元ユーザアドレスと宛先ユーザアドレスが記述されたパス設定要求を受信させる第１の処理と、
受信した前記パス設定要求に記述されている送信元ユーザアドレスからそのアドレスが割り当てられた送信元のユーザ端末を収容する送信元ユーザ端末収容装置を特定する第２の処理と、
受信した前記パス設定要求に記述されている宛先ユーザアドレスからそのアドレスが割り当てられた宛先のユーザ端末を収容する宛先ユーザ端末収容装置を特定する第３の処理と、
特定された前記送信元ユーザ端末収容装置と前記宛先ユーザ端末収容装置との間に、物理リンクおよび転送経路を割り当てる第４の処理と
を実現させるための転送経路制御プログラム。
【請求項５】
コンピュータに、
ユーザ端末収容装置に収容されたユーザ端末のアドレスとそのユーザ端末収容装置の識別子とを収集しその関係を示すテーブルを作成する第１の処理と、
ユーザからの送信元ユーザアドレスと宛先ユーザアドレスが記述されたパス設定要求を受信させる第２の処理と、
受信した前記パス設定要求に記述されている送信元ユーザアドレスが割り当てられた送信元のユーザ端末を収容する送信元ユーザ端末収容装置を前記テーブルを参照して特定する第３の処理と、
受信した前記パス設定要求に記述されている宛先ユーザアドレスが割り当てられた宛先のユーザ端末を収容する宛先ユーザ端末収容装置を前記テーブルを参照して特定する第４の処理と、
特定された前記送信元ユーザ端末収容装置と前記宛先ユーザ端末収容装置との間に、物理リンクおよび転送経路を割り当てる第５の処理と
を実現させるための転送経路制御プログラム。
【請求項６】
請求項１に記載された転送経路制御装置において、
ユーザからの送信元ユーザアドレスと宛先ユーザアドレスが記述されたパス開放要求を受信する手段と、
受信した前記パス開放要求に記述されている送信元ユーザアドレスからそのアドレスが割り当てられた送信元のユーザ端末を収容する送信元ユーザ端末収容装置を特定する手段と、
受信した前記パス開放要求に記述されている宛先ユーザアドレスからそのアドレスが割り当てられた宛先のユーザ端末を収容する宛先ユーザ端末収容装置を特定する手段と、
前記パス開放要求から特定された前記送信元ユーザ端末収容装置と前記宛先ユーザ端末収容装置との間に割り当てられている前記物理リンクおよび転送経路を開放する手段と
を備えたことを特徴とする転送経路制御装置。
【請求項７】
コンピュータに、
ユーザ端末収容装置に収容されたユーザ端末のアドレスとそのユーザ端末収容装置の識別子とを収集しその関係を示すテーブルを作成する第１の処理と、
ユーザからの送信元ユーザアドレスと宛先ユーザアドレスが記述されたパス設定要求を受信させる第２の処理と、
受信した前記パス設定要求に記述されている送信元ユーザアドレスが割り当てられた送信元のユーザ端末を収容する送信元ユーザ端末収容装置を前記テーブルを参照して特定する第３の処理と、
受信した前記パス設定要求に記述されている宛先ユーザアドレスが割り当てられた宛先のユーザ端末を収容する宛先ユーザ端末収容装置を前記テーブルを参照して特定する第４の処理と、
前記パス設定要求から特定された前記送信元ユーザ端末収容装置と前記宛先ユーザ端末収容装置との間に、物理リンクおよび転送経路を割り当てる第５の処理と、
ユーザからの送信元ユーザアドレスと宛先ユーザアドレスが記述されたパス開放要求を受信する第６の処理と、
受信した前記パス開放要求に記述されている送信元ユーザアドレスからそのアドレスが割り当てられた送信元のユーザ端末を収容する送信元ユーザ端末収容装置を特定する第７の処理と
受信した前記パス開放要求に記述されている宛先ユーザアドレスからそのアドレスが割り当てられた宛先のユーザ端末を収容する宛先ユーザ端末収容装置を特定する第８の処理と、
前記パス開放要求から特定された前記送信元ユーザ端末収容装置と前記宛先ユーザ端末収容装置との間に割り当てられている前記物理リンクおよび転送経路を開放する第９の処理と
を実現させるための転送経路制御プログラム。
【発明の詳細な説明】
【技術分野】
【０００１】
この発明は、パケット転送経路を動的に変更するトラヒックエンジニアリングにおいて、ユーザの要求に応じて転送経路を動的に切り替える転送経路制御装置および転送経路制御プログラムに関するものである。
【背景技術】
【０００２】
従来のフォトニックネットワークでは、ユーザ端末を収容するエッジルータ（ユーザ端末収容装置）間を光波長パス（以下、光パスと言う）で固定的に接続していた。このため、光パスリソース獲得のコストが高くなると同時に、スケーラビリティに乏しいいう問題があった。
【０００３】
この問題を解決するための手段として、フォトニックネットワークの端末装置としてＩＰ転送機能を保有するエッジルータを設置し、コネクション型ネットワーク上に論理的に構築されたコネクションレス型ネットワークを採用し、ＩＰ転送によってエッジルータ間の経路到達性を確保しつつ、トラヒック需要の多いエッジルータ間にのみ光パスリソースを割り当てる方式が検討されている（非特許文献１参照）。
【０００４】
【非特許文献１】村山、八木、松井、成瀬、松田、牧野「テラビット級スーパーネットワークのアーキテクチャ設計」、電気学会通信研究会、ＣＭＮ−０４一１７、２００４年６月
【非特許文献２】八木、松井、成瀬、村山、松田「ＴＳＮにおけるユーザ要求を考慮したカットスルー光パス制御方式」、電子情報通信学会２００４年総合大会Ｂ−７−９３、ｐｐ３０２、２００４年３月
【発明の開示】
【発明が解決しようとする課題】
【０００５】
しかしながら、上述した光パスリソースの割り当て方式では、トラヒック需要のみを考慮して光パスリソースを割り当てるため、特定ユーザからの帯域保証要求に応じることができないという問題があった。
【０００６】
なお、特定ユーザからの帯域保証要求を受け付け、送信元のユーザ端末を収容するエッジルータと宛先のユーザ端末を収容するエッジルータとの間に光パスリソースを割り当てる方式が検討されている（非特許文献１、２参照）。しかし、この方式では、光パスリソースを割り当てるためのＴＯＳ値をユーザが指定し、転送フレームに付与する必要があり、光パスリソースの割り当てを簡単かつ確実に行うことができなかった。
【０００７】
本発明は、このような課題を解決するためになされたもので、その目的とするところは、既存のフォトニックネットワークを活用しつつ、ユーザ要求に応じて、特定のユーザ端末を収容するユーザ端末収容装置間に、簡単かつ確実に、物理リンクおよび転送経路を動的に設定して、通信容量を一時的に拡張できる帯域保証型のネットワークサービスを実現することが可能な転送経路制御装置および転送経路制御プログラムを提供することにある。
【課題を解決するための手段】
【０００８】
このような目的を達成するために、第１発明（請求項１に係る発明）は、ユーザ端末を収容したユーザ端末収容装置間に設定する転送経路を制御する転送経路制御装置に、ユーザからの送信元ユーザアドレスと宛先ユーザアドレスが記述されたパス設定要求を受信する手段と、受信したパス設定要求に記述されている送信元ユーザアドレスからそのアドレスが割り当てられた送信元のユーザ端末を収容する送信元ユーザ端末収容装置を特定する手段と、受信したパス設定要求に記述されている宛先ユーザアドレスからそのアドレスが割り当てられた宛先のユーザ端末を収容する宛先ユーザ端末収容装置を特定する手段と、特定された送信元ユーザ端末収容装置と宛先ユーザ端末収容装置との間に物理リンクおよび転送経路を割り当てる手段とを設けたものである。
この発明によれば、転送経路制御装置にパス設定要求を送ると、このパス設定要求に記述されている送信元ユーザアドレスから送信元ユーザ端末収容装置が特定され、宛先ユーザアドレスから宛先ユーザ端末収容装置が特定され、この特定された送信元ユーザ端末収容装置と宛先ユーザ端末収容装置との間に物理リンクおよび転送経路が割り当てられる。
例えば、ユーザアドレス「ＩＰ＃Ａ」が割り当てられたユーザ端末Ａと、ユーザアドレス「ＩＰ＃２」が割り当てられたユーザ端末Ｂがユーザ端末収容装置Ｄに収容されており、ユーザアドレス「ＩＰ＃３」が割り当てられたユーザ端末Ｃがユーザ端末収容装置Ｅに収容されていたとする。ここで、ユーザ端末Ａから送信元ユーザアドレスとして「ＩＰ＃Ａ」、宛先ユーザアドレスとして「ＩＰ＃Ｃ」が記述されたパス設定要求を転送経路制御装置に送ると、転送経路制御装置は、ユーザ端末収容装置Ｄを送信元ユーザ端末収容装置と特定し、ユーザ端末収容装置Ｅを宛先ユーザ端末収容装置と特定し、ユーザ端末収容装置Ｄとユーザ端末収容装置Ｅとの間に、ユーザ端末Ａからユーザ端末Ｃへの物理リンクおよび転送経路を割り当てる。
これにより、送信元ユーザアドレスと宛先ユーザアドレスが記述されたパス設定要求を転送経路制御装置に送るだけで、特定のユーザ端末を収容するユーザ端末収容装置間に物理リンクおよび転送経路を設定して、通信容量を一時的に拡張できる帯域保証型のネットワークサービスを提供することが可能となる。
【０００９】
第２発明（請求項２に係る発明）は、ユーザ端末を収容したユーザ端末収容装置間に設定する転送経路を制御する転送経路制御装置に、ユーザ端末収容装置に収容されたユーザ端末のアドレスとそのユーザ端末収容装置の識別子とを収集しその関係を示すテーブルを作成する手段と、ユーザからの送信元ユーザアドレスと宛先ユーザアドレスが記述されたパス設定要求を受信する手段と、受信したパス設定要求に記述されている送信元ユーザアドレスが割り当てられた送信元のユーザ端末を収容する送信元ユーザ端末収容装置を前記テーブルを参照して特定する手段と、受信したパス設定要求に記述されている宛先ユーザアドレスが割り当てられた宛先のユーザ端末を収容する宛先ユーザ端末収容装置を前記テーブルを参照して特定する手段と、特定された送信元ユーザ端末収容装置と宛先ユーザ端末収容装置との間に物理リンクおよび転送経路を割り当てる手段とを設けたものである。
この発明において、転送経路制御装置は、ユーザ端末収容装置に収容されたユーザ端末のアドレスとそのユーザ端末収容装置の識別子とを収集し、ユーザ端末収容装置の識別子とそのユーザ端末収容装置に収容されたユーザ端末のアドレスとの関係を示すテーブル（ユーザ端末収容装置特定テーブル）を作成する。パス設定要求を受けると、ユーザ端末収容装置特定テーブルを参照して、送信元ユーザ端末収容装置と宛先ユーザ端末収容装置とを特定し、特定した送信元ユーザ端末収容装置と宛先ユーザ端末収容装置との間に、第１発明と同様にして物理リンクおよび転送経路を割り当てる。
【００１０】
第３発明（請求項３に係る発明）は、第２発明において、ユーザ端末収容装置特定テーブルを仮想プライベートネットワーク毎に作成し、送信元ユーザアドレスと宛先ユーザアドレスと仮想プライベートネットワークの識別子をパス設定要求に記述するものとし、受信したパス設定要求にその識別子が記述されている仮想プライベートネットワークに対して作成されているユーザ端末収容装置特定テーブルを参照して、送信元ユーザ端末収容装置と宛先ユーザ端末収容装置を特定するようにしたものである。
これにより、仮想プライベートネットワーク機能を提供するバックボーンネットワークにおいて考えられる、異なる仮想プライベートネットワーク間アドレス重複時においても、送信元ユーザアドレスと宛先ユーザアドレスと仮想プライベートネットワークの識別子が記述されたパス設定要求を受信した際に、特定のユーザ端末を収容するユーザ端末収容装置間に、物理リンクおよび転送経路を動的に設定して、通信容量を一時的に拡張できる帯域保証型のネットワークサービスを提供することが可能となる。
【００１１】
第６発明（請求項６に係る発明）は、第１発明の転送経路制御装置に、さらに、ユーザからの送信元ユーザアドレスと宛先ユーザアドレスが記述されたパス開放要求を受信する手段と、受信したパス開放要求に記述されている送信元ユーザアドレスからそのアドレスが割り当てられた送信元のユーザ端末を収容する送信元ユーザ端末収容装置を特定する手段と、受信した前記パス開放要求に記述されている宛先ユーザアドレスからそのアドレスが割り当てられた宛先のユーザ端末を収容する宛先ユーザ端末収容装置を特定する手段と、パス開放要求から特定された送信元ユーザ端末収容装置と宛先ユーザ端末収容装置との間に割り当てられている物理リンクおよび転送経路を開放する手段とを設けたものである。
この発明によれば、転送経路制御装置にパス開放要求を送ると、このパス開放要求に記述されている送信元ユーザアドレスから送信元ユーザ端末収容装置が特定され、宛先ユーザアドレスから宛先ユーザ端末収容装置が特定され、この特定された送信元ユーザ端末収容装置と宛先ユーザ端末収容装置との間に割り当てられている物理リンクおよび転送経路が開放される。
【００１２】
なお、本発明は、コンピュータに第１発明や第２発明、第６発明の処理を実行させる制御プログラムとして提供することも可能である（第４発明（請求項４に係る発明）、第５発明（請求項５に係る発明）、第７発明（請求項７に係る発明））。また、この制御プログラムを記憶させたフレキシブルディスク、ＣＤ−ＲＯＭ、メモリカードなどの記録媒体としても提供可能である。
【発明の効果】
【００１３】
本発明によれば、転送経路制御装置にパス設定要求を送ると、このパス設定要求に記述されている送信元ユーザアドレスから送信元ユーザ端末収容装置が特定され、宛先ユーザアドレスから宛先ユーザ端末収容装置が特定され、この特定された送信元ユーザ端末収容装置と宛先ユーザ端末収容装置との間に物理リンクおよび転送経路が割り当てられるものとなり、既存のフォトニックネットワークを活用しつつ、ユーザ要求に応じて、特定のユーザ端末を収容するユーザ端末収容装置間に、簡単かつ確実に、物理リンクおよび転送経路を動的に設定して、通信容量を一時的に拡張できる帯域保証型のネットワークサービスを実現することが可能となる。
【発明を実施するための最良の形態】
【００１４】
以下、本発明を図面に基づいて詳細に説明する。
〔通信ネットワーク〕
図１はこの発明に係る転送経路制御装置を含む通信ネットワークの一実施の形態を示すネットワークモデルである。この通信ネットワークは、エッジルータＥＲ（ＥＲ１〜ＥＲ４）、光コアルータＣＲ（ＣＲ１，ＣＲ２）、光パス制御装置ＣＮＴから構成される。なお、この実施の形態において、光パス制御装置ＣＮＴが本発明に係る転送経路制御装置に対応し、エッジルータＥＲがユーザ端末収容装置に対応する。
【００１５】
エッジルータＥＲ１は、ユーザ網１６を経由してユーザ端末ＵＴ１，ＵＴ２を収容している。エッジルータＥＲ２は、ユーザ網１７を経由してユーザ端末ＵＴ３，ＵＴ４を収容している。エッジルータＥＲ３は、ユーザ網１８を経由してユーザ端末ＵＴ５，ＵＴ６を収容している。エッジルータＥＲ４は、ユーザ網１９を経由してユーザ端末ＵＴ７，ＵＴ８を収容している。
【００１６】
エッジルータＥＲおよび光コアルータＣＲから構成されるバックボーンネットワークをコアネットワークＣＮＷとし、ユーザ端末ＵＴを含むネットワーク全体をＩＰネットワークＩＮＷとする。
【００１７】
図２に、この通信ネットワークの物理モデルを例示する。エッジルータＥＲ１は、光パスＩＦ２２〜２５を保有している。エッジルータＥＲ２は、光パスＩＦ２６〜２９を保有している。エッジルータＥＲ３は、光パスＩＦ３０〜３３を保有している。エッジルータＥＲ４は、光パスＩＦ３４〜３７を保有している。光コアルータＣＲ１は、光パスＩＦ３８〜５１を保有している。光コアルータＣＲ２は、光パスＩＦ５２〜６５を保有している。
【００１８】
エッジルータＥＲ間は、光パスによって接続される。例えば、エッジルータＥＲ１は、光パス２０１（ＩＦ２４−ＩＦ４０−ＩＦ４１−ＩＦ２６）によってエッジルータＥＲ２と接続され、光パス２０２（ＩＦ２２−ＩＦ３８−ＩＦ４５−ＩＦ５２−ＩＦ５９−ＩＦ３０）によってエッジルータＥＲ３と接続され、光パス２０３（ＩＦ２３−ＩＦ３９−ＩＦ４６−ＩＦ５３−ＩＦ６３−ＩＦ３５）によってエッジルータＥＲ４と接続されている。それぞれの光パス（転送経路）には、その光パスを識別するための経路識別子が付与される。この経路識別子については後述する。
【００１９】
光パス制御装置ＣＮＴは、ネットワーク内の各装置（エッジルータＥＲ、光コアルータＣＲ）と接続されている。本実施の形態では、伝送リンク１０１〜１０６により、各装置との接続性を確保している。また、ＷＤＭ（Wavelength Division Multiplexing）技術を採用して、複数本の光パスを１本の伝送リンクに収容している。
【００２０】
エッジルータＥＲや光コアルータＣＲは、自身が保有する光パスＩＦと、対抗装置が保有する光パスＩＦに余剰があれば、それらの光パスＩＦ間に光パスを設定することが可能である。通常、光パスを設定する際は、ＲＳＶＰ一ＴＥなどのシグナリングプロトコルが使用される。１本の光パスを１本の伝送リンクとする場合は、伝送リンクの割り当ても必要となる。
【００２１】
ユーザ端末ＵＴ１は、ＩＰアドレス「ＩＰ＃１」で識別される。ユーザ端末ＵＴ２は、ＩＰアドレス「ＩＰ＃２」で識別される。ユーザ端末ＵＴ３は、ＩＰアドレス「ＩＰ＃３」で識別される。ユーザ端末ＵＴ４は、ＩＰアドレス「ＩＰ＃４」で識別される。ユーザ端末ＵＴ５は、ＩＰアドレス「ＩＰ＃５」で識別される。ユーザ端末ＵＴ６は、ＩＰアドレス「ＩＰ＃６」で識別される。ユーザ端末ＵＴ７は、ＩＰアドレス「ＩＰ＃７」で識別される。ユーザ端末ＵＴ８は、ＩＰアドレス「ＩＰ＃８」で識別される。
【００２２】
エッジルータＥＲ１は、コアアドレスプレフィックス「コア＃１」で識別される。エッジルータＥＲ２は、コアアドレスプレフィックス「コア＃２」で識別される。エッジルータＥＲ３は、コアアドレスプレフィックス「コア＃３」で識別される。エッジルータＥＲ４は、コアアドレスプレフィックス「コア＃４」で識別される。光コアルータＣＲ１は、コアアドレスプレフィックス「コア＃５」で識別される。光コアルータＣＲ２は、コアアドレスプレフィックス「コア＃６」で識別される。光パス制御装置ＣＮＴは、コアアドレスプレフィックスアドレス「コア＃７」で識別される。
【００２３】
このモデルでは、例えば、エッジルータＥＲ１の配下のユーザ端末ＵＴ１，ＵＴ２は、エッジルータＥＲ１を介して、他のエッジルータＥＲの配下のユーザ端末ＵＴとＩＰパケットを交換する。ユーザ端末ＵＴから送信されたＩＰパケットは、エッジルータＥＲにおいて、コアフレームにカプセル化され、光パスを介して着側のエッジルータＥＲに転送される。
【００２４】
なお、コアフレームにカプセル化せずに、カプセル化する過程で特定された宛先エッジルータＥＲに、宛先エッジルータＥＲの識別子から出力リンクを特定するテーブルを用いて出力先を特定し、ＩＰパケットを転送してもよい。このときは、本実施の形態におけるコアフレームのカプセル化およびデカプセル化の機能を保有しなければよい。
【００２５】
このように、この通信ネットワークでは、光パスの多重伝送機能を有する伝送リンクおよび光パスの交換機能を有する光コアルータを備えたフォトニックネットワークの端末装置としてＩＰ転送機能を保有するエッジルータＥＲを設置し、ユーザ端末ＵＴとしてＩＰ転送型のパケット通信端末を設置し、エッジルータＥＲが複数のユーザ端末ＵＴを収容する、フォトニックネットワーク上に論理的にＩＰネットワークＩＮＷを構築している。
【００２６】
〔エッジルータ〕
図３に、この通信ネットワークに設置されるエッジルータＥＲの構成例を示す。エッジルータＥＲは、受信フレーム処理部６６と、パケット処理部６７と、フォワーディング処理部６８と、送信フレーム処理部６９と、光パス設定要求送信機能７０と、収容ユーザ特定機能７１と、サーバ接続機能７２とを有している。
【００２７】
受信フレーム処理部６６は、受信したＩＰパケットをパケット処理部６７へ転送する機能と、受信したコアフレームからＩＰパケットを抽出し、抽出したＩＰパケットをパケット処理部６７へ転送する機能と、ユーザからの送信元ＩＰアドレス（送信元ユーザアドレス）と宛先ＩＰアドレス（宛先ユーザアドレス）が記述された光パス設定要求および光パス開放要求を示すＩＰパケットを受信した際に、そのパケットを光パス設定要求送信機能７０に転送する機能を有している。
【００２８】
パケット処理部６７は、受信フレーム処理部６６が抽出したＩＰパケットから宛先ＩＰアドレスを抽出する機能を有している。フォワーディング処理部６８は転送テーブル７３を有している。転送テーブル７３には、ＩＰパケットが有する宛先ＩＰアドレスに対応する、宛先エッジルータＥＲのコアアドレスプレフィックスおよび経路識別子を導くエントリが書き込まれる（図５参照）。
【００２９】
フォワーディング処理部６８は、パケット処理部６７が抽出した宛先ＩＰアドレスを検索キーとして、転送テーブル７３を検索し、宛先コアアドレスプレフィックスおよび経路識別子を導く機能を有している。
【００３０】
送信フレーム処理部６９は、出力リンク特定テーブル７４を有している。出力リンク特定テーブル７４には、宛先アドレスから出力リンクを特定するエントリが書き込まれる（図６参照）。
【００３１】
送信フレーム処理部６９は、受信フレーム処理部６６が抽出したＩＰパケットに関して、フォワーディング処理部６８が、自己が属するエッジルータＥＲを示すコアアドレスプレフィックス以外を宛先コアアドレスプレフィックスとして特定した際に、特定した宛先コアアドレスプレフィックスおよび経路識別子から、出力リンクを特定するとともに、自己が属するエッジルータＥＲが保有するコアアドレスプレフィックスを記述した送信元コアアドレスと、宛先コアアドレスプレフィックスおよび経路識別子が記述された宛先コアアドレスから、コアヘッダを生成し、ＩＰパケットに付与することでＩＰパケットをコアフレームにカプセル化し、特定した出力リンクヘ送信する機能と、受信フレーム処理部６６が抽出したＩＰパケットに関して、フォワーディング処理部６８が、自己が属するエッジルータＥＲを示すコアアドレスプレフィックスを宛先コアアドレスプレフィックスとして特定した際に、宛先ＩＰアドレスから、出力リンクを特定するとともに、特定した出力リンクヘ送信する機能を有している。なお、コアフレームにカプセル化しない場合には、出力リンクを特定した後、カプセル化せずに出力リンクへ送信する。
【００３２】
光パス設定要求送信機能７０は、光パス設定要求および光パス開放要求を示すＩＰパケットを受信フレーム処理部６６から受信した際に、自己が属するエッジルータＥＲが保有するコアアドレスプレフィックスを記述した送信元コアアドレスを生成し、光パス制御装置ＣＮＴが保有するコアアドレスプレフィックスと、光パス制御装置ＣＮＴと接続性が確保されているリンクの経路識別子を記述した宛先コアアドレスを生成し、光パス設定要求および光パス開放要求を示すＩＰパケットをコアフレームにカプセル化する機能を有している。なお、コアフレームにカプセル化しない際は、カプセル化は行わない。
【００３３】
収容ユーザ特定機能７１は、転送テーブル７３から、自己が属するエッジルータＥＲが保有するコアアドレスプレフィックスが記述されたエントリに記述されているＩＰアドレスを抽出することにより、エッジルータＥＲ自身が収容しているユーザ端末ＵＴのＩＰアドレスを管理する機能を有している。
【００３４】
転送テーブル７３のエントリの追加および削除が実施された際、収容ユーザ特定機能７１は、追加されたエントリと削除されたエントリをチェックし、追加されたエントリに自己が属するエッジルータＥＲが保有するコアアドレスプレフィックスが記述されていた場合、そのエントリに記述されているＩＰアドレスを抽出して追加情報として保存し、削除されたエントリに自己が属するエッジルータＥＲが保有するコアアドレスプレフィックスが記述されていた場合、そのエントリに記述されているＩＰアドレスを管理対象から削除する。
【００３５】
サーバ接続機能７２は、光パス設定要求送信機能７０から受信したコアフレームを、光パス制御装置ＣＮＴへ送信する機能と、光パス制御装置ＣＮＴから転送テーブル７３のＳＮＭＰ（Simple Network Management Protocol）参照要求を受信した際に、送信元の光パス制御装置ＣＮＴ宛てに転送テーブル７３の内容を記述したＳＮＭＰ参照応答を生成して転送する機能と、光パス制御装置ＣＮＴから転送テーブル７３のＳＮＭＰ設定要求を受信した際に、設定要求に記述されている内容に従って、転送テーブル７３のエントリの追加および削除を実施するとともに、送信元の光パス制御装置ＣＮＴ宛てにＳＮＭＰ設定応答を生成して転送する機能と、光パス制御装置ＣＮＴから出力リンク特定テーブル７４のＳＮＭＰ参照要求を受信した際に、送信元の光パス制御装置ＣＮＴ宛てに出力リンク特定テーブル７４の内容を記述したＳＮＭＰ参照応答を生成して転送する機能と、光パス制御装置ＣＮＴから出力リンク特定テーブル７４のＳＮＭＰ設定要求を受信した際に、設定要求に記述されている内容に従って、出力リンク特定テーブル７４のエントリの追加および削除を実施するとともに、送信元の光パス制御装置ＣＮＴ宛てにＳＮＭＰ設定応答を生成して転送する機能を有している。
【００３６】
また、サーバ接続機能７２は、光パス制御装置ＣＮＴから、収容ユーザ参照要求を受信した際に、収容ユーザ特定機能７１に保存しているＩＰアドレスおよび自己が属するエッジルータＥＲが保有するコアアドレスプレフィックスを記述した収容ユーザ通知を光パス制御装置ＣＮＴに送信する機能と、収容ユーザ特定機能７１において、自己が属するエッジルータＥＲが収容しているＩＰアドレスの追加が発生した際に、追加されたＩＰアドレスおよび自己が属するエッジルータＥＲが保有するコアアドレスプレフィックスが記述された収容ユーザ追加通知を生成して光パス制御装置ＣＮＴに送信する機能と、収容ユーザ特定機能７１において、自己が属するエッジルータＥＲが収容しているＩＰアドレスの削除が発生した際に、削除されたＩＰアドレスおよび自己が属するエッジルータＥＲが保有するコアアドレスプレフィックスが記述された収容ユーザ削除通知を生成して光パス制御装置ＣＮＴに送信する機能を有している。
【００３７】
このようなエッジルータＥＲをネットワーク内に設置することにより、光パス制御装置ＣＮＴをネットワーク内に設置した際に、エッジルータＥＲに、自身が収容するユーザ端末ＵＴの情報（ユーザ情報）を収集させ、光パス制御装置ＣＮＴからのユーザ端末ＵＴの収容状況の問い合わせに対し、自身が収集したユーザ情報を通知させることが可能である。
【００３８】
これにより、光パス制御装置ＣＮＴが、各エッジルータＥＲから、そのエッジルータＥＲに収容されたユーザ端末ＵＴのアドレスとそのエッジルータＥＲの識別子で構成される情報を収集するための通信インタフェースを保有した際に、各エッジルータＥＲが情報を送信するための通信インタフェースを保有することが可能となり、光パス制御装置ＣＮＴが、ユーザ要求に応じて、ユーザ端末ＵＴを収容するエッジルータＥＲを特定し、当該エッジルータＥＲ間に動的に光パスを設定して、通信容量を一時的に拡張することで、帯域保証型のネットワークサービスを提供することが可能となる。
【００３９】
〔光パス制御装置〕
図４に、この通信ネットワークに設置される光パス制御装置ＣＮＴの構成例を示す。光パス制御装置ＣＮＴは、外部装置接続機能７５および経路設定機能７６を有している。外部装置接続機能７５は、エッジルータＥＲ、光コアルータＣＲのアドレス情報およびそのアドレスに対する出力リンクを特定する機能を保有し、エッジルータＥＲおよび光コアルータＣＲから受信した通知パケットおよびシグナルを経路設定機能７６へ転送する機能と、経路設定機能７６から送信された通知パケットおよびシグナルを、エッジルータＥＲおよび光コアルータＣＲヘ転送する機能を有している。
【００４０】
経路設定機能７６は、エッジルータ特定機能７７、パス設定判定機能７８、経路解析機能７９および外部装置管理機能８０を有している。エッジルータ特定機能７８は、ユーザ収容エッジルータ特定テーブル８１を保有している。ユーザ収容エッジルータ特定テーブル８１には、ＩＰアドレスからそのＩＰアドレスを保有するユーザ端末ＵＴを収容しているエッジルータＥＲを示すコアアドレスプレフィックスを導くエントリが書き込まれる（図７参照）。
【００４１】
エッジルータ特定機能７７は、収容ユーザ追加通知を受信した際に、通知に記述されたＩＰアドレスに対して通知に記述されたコアアドレスプレフィックスを導くエントリをユーザ収容エッジルータ特定テーブル８１に追加する機能と、収容ユーザ削除通知を受信した際に、通知に記述されたＩＰアドレスに対して通知に記述されたコアアドレスプレフィックスを導くエントリをユーザ収容エッジルータ特定テーブル８１から削除する機能とを有している。
【００４２】
また、エッジルータ特定機能７７は、タイマーを保有し、定期的に各エッジルータＥＲに対して、各エッジルータＥＲが収容しているＩＰアドレスを問い合わせる収容ユーザ参照要求を送信する機能と、収容ユーザ通知を受信した際に、通知に記述された内容とユーザ収容エッジルータ特定テーブル８１の内容を比較し、差異がみられた場合は通知に記述された内容を反映させるよう、ユーザ収容エッジルータ特定テーブル８１を書き換える機能を有している。
【００４３】
また、エッジルータ特定機能７７は、ユーザ収容エッジルータ特定テーブル８１を参照することで、光パス接続要求に記述された送信元ＩＰアドレスおよび宛先ＩＰアドレスに対して、送信元ＩＰアドレスを保有するユーザ端末ＵＴを収容しているエッジルータＥＲと、宛先ＩＰアドレスを保有するユーザ端末ＵＴを収容しているエッジルータＥＲを特定する機能と、ユーザ収容エッジルータ特定テーブル８１を参照することで、光パス接続要求に記述された送信元ＩＰアドレスおよび宛先ＩＰアドレスに対して、送信元ＩＰアドレスを保有するユーザ端末ＵＴを収容しているエッジルータＥＲと、宛先ＩＰアドレスを保有するユーザ端末ＵＴを収容しているエッジルータＥＲを特定できなかった際に、各エッジルータＥＲに対して収容ユーザ参照要求を送信する機能を有している。
【００４４】
パス設定判定機能７８は、光パス設定要求に記述されたＩＰアドレス間に相当するエッジルータＥＲ間に光パスの割り当てを許可するか否かを決定する機能を有している。例えば、宛先コアアドレスプレフィックスと送信元コアアドレスプレフィックスに対する残許容光パス数を導くテーブルを保有させ、光パスを設定する毎に残許容光パス数を１減少させ、光パスを開放する毎に残許容光パス数を１増加させることにより、コアアドレスプレフィックス対に許容する光パス数を複数本とすることが可能となる。
【００４５】
経路解析機能７９は、ネットワーク内の各装置の伝送リンクや光パスなどの転送リソース使用状況および各装置の接続関係および各光パスにマッピングされている転送経路を、ネットワーク内の各装置の各テーブルの内容を定期的に収集して保存することで管理する機能を有している。
【００４６】
外部装置管理機能８０は、エッジルータＥＲにＳＮＭＰ参照要求を定期的に送信し、光コアルータＣＲにシグナルを定期的に送信することにより、定期的にトポロジ情報および転送経路情報を取得する機能と、エッジルータＥＲにＳＮＭＰ設定要求を送信し、光コアルータＣＲにシグナルを送信することにより、トポロジ情報および転送経路情報を変更する機能を有している。
【００４７】
経路設定機能７６は、外部装置接続機能７５から光パス設定要求を記したコアフレームを受信した際に、エッジルータ特定機能７７を用いて、そのフレームに記述されていた宛先ＩＰアドレスを参照することにより宛先コアアドレスプレフィックスを特定し、送信元ＩＰアドレスを参照することにより送信元コアアドレスプレフィックスを特定し、これにより光パスを割り当てるべきエッジルータＥＲ間を特定する。そして、パス設定判定機能７７を用いて、その送信元コアアドレスプレフィックスおよび宛先コアアドレスプレフィックスを参照することにより、光パスの割り当ての可否を判断し、割り当てが許可された際は、経路解析機能７９により、割り当てる光パスリソース、経路識別子およびその経路に割り当てる宛先ＩＰアドレスを特定し、外部装置管理機能８０により、経路情報を変更することで、割り当てる光パスリソースを確保する。
【００４８】
また、経路設定機能７６は、割り当てる光パスリソースを確保と共に、送信元エッジルータＥＲの転送テーブル７３に、経路解析機能７９で特定された宛先ＩＰアドレスに対してエッジルータ特定機能７７で特定された宛先コアアドレスプレフィックスおよび経路解析機能７９で特定された経路識別子を導くエントリを追加し、送信元エッジルータＥＲの出力リンク特定テーブル７４に、エッジルータ特定機能７７で特定された宛先コアアドレスプレフィックスと経路解析機能７９により特定された経路識別子からなるコアアドレスに対して経路解析機能７９により割り当てられた光パスを示す出力リンクを導くエントリを追加する。光パス設定中に、同じＩＰアドレス対が記述された光パス設定要求を受信した際は、その要求を削除する。
【００４９】
なお、パス設定判定機能７８により、光パス設定要求が拒否された際や、経路解析機能７９により、割り当てる光パスリソースが特定できなかった際は、光パスの設定が許可されなかったとする。
【００５０】
また、経路設定機能７６は、外部装置接続機能７５から光パス開放要求を記したコアフレームを受信した際に、エッジルータ特定機能７７を用いて、そのパケットの宛先ＩＰアドレスを参照することにより宛先コアアドレスプレフィックスを特定し、送信元ＩＰアドレスを参照することにより送信元コアアドレスプレフィックスを特定することにより、光パスを開放すべきエッジルータＥＲ間を特定し、パス設定判定機能７８において管理されている、そのエッジルータＥＲ間に設定されている光パス数を１削減し、経路解析機能７９により、開放すべき光パスリソースを特定し、外部装置管理機能８０により、経路情報を変更することで、光パスリソースを開放する。
【００５１】
また、経路設定機能７６は、光パスリソースの開放と共に、送信元エッジルータＥＲの転送テーブル７３に追加されている、経路解析機能７９で特定された宛先ＩＰアドレスに対してエッジルータ特定機能７７で特定された宛先コアアドレスプレフィックスおよび経路解析機能７９で特定された経路識別子を導くエントリを削除し、送信元エッジルータＥＲの出力リンク特定テーブルに追加されている、エッジルータ特定機能７７で特定された宛先コアアドレスプレフィックスと経路解析機能７９により特定された経路識別子からなるコアアドレスに対して経路解析機能７９により割り当てられた光パスを示す出力リンクを導くエントリを削除する。
【００５２】
これにより、光パス制御装置ＣＮＴが、各エッジルータＥＲから、そのエッジルータＥＲに収容されたユーザ端末ＵＴのアドレスとそのエッジルータＥＲの識別子で構成される情報を収集するための通信インタフェースを保有し、ユーザ要求に応じて、ユーザ端末ＵＴを収容するエッジルータＥＲを特定し、当該エッジルータＥＲ間に動的に光パスを設定して、通信容量を一時的に拡張するが可能となる。
【００５３】
〔転送テーブル〕
図５に、エッジルータＥＲが保有する転送テーブル７３の一例を示す。転送テーブル７３には、宛先ＩＰアドレスに対する宛先コアアドレスプレフィックスおよび経路識別子を導くエントリが書き込まれる。
【００５４】
経路識別子の導入により、同一エッジルータ宛でも、宛先ＩＰアドレスに応じて経路識別子を異ならせることによって、複数の光パスを用いて転送することが可能となる。また、本実施の形態では、転送テーブル７３の検索結果から特定されたコアアドレスプレフィックスと経路識別子からコアアドレスを作成し、これを宛先アドレスとする。コアアドレスは、そのプレフィックス部に、加入者ユーザ収容ノードＮＤを識別する情報（コアアドレスプレフィックス）が記述され、それ以外の部分に、転送する際の出力先転送経路を識別する経路識別子が記述される。
【００５５】
〔出力リンク特定テーブル〕
図６に、エッジルータＥＲが保有する出力リンク特定テーブル７４の一例を示す。出力リンク特定テーブル７４には、宛先アドレスに対する出力光パス（出力リンク）を導くエントリが書き込まれる。
【００５６】
〔ユーザ収容エッジルータ特定テーブル〕
図７に、光パス制御装置ＣＮＴが保有するユーザ収容エッジルータ特定テーブル８１の一例を示す。ユーザ収容エッジルータ特定テーブル８１は、ＩＰアドレスに対する、そのＩＰアドレスによって特定されるユーザ端末ＵＴを収容しているエッジルータＥＲの識別子であるコアアドレスプレフィックスを導くエントリが書き込まれる。
【００５７】
〔動作〕
図８に、この通信ネットワークにおける新規の光パスの割り当て前のネットワーク環境の一例を示す。図９に、この通信ネットワークにおける新規の光パスの割り当て後のネットワーク環境の一例を示す。図１０に、この通信ネットワークにおける新規の光パスの割り当て前の各種テーブル内容の一例を示す。図１１に、この通信ネットワークにおける新規の光パスの割り当て後の各種テーブル内容の一例を示す。
【００５８】
〔新規の光パスの割り当て前〕
この例において、ユーザ端末ＵＴ１およびユーザ端末ＵＴ２は、ユーザ端末ＵＴ５およびユーザ端末ＵＴ６と通信をしている。この場合、エッジルータＥＲ１は、転送テーブル７３（図１０（ａ））を参照し、ユーザ端末ＵＴ５宛てのＩＰパケットが保有する宛先ＩＰアドレス「ＩＰ＃５」から、コアアドレスプレフィックス「コア＃３」および経路識別子「Ｒ１」を特定し、ユーザ端末ＵＴ６宛てのＩＰパケットが保有する宛先ＩＰアドレス「ＩＰ＃６」から、コアアドレスプレフィックス「コア＃３」および経路識別子「Ｒ１」を特定する。
【００５９】
ユーザ端末ＵＴ１からのユーザ端末ＵＴ５宛てのＩＰパケットは、送信元コアアドレス「コア＃１」および宛先コアアドレス「コア＃３＿Ｒ１」を保有するコアヘッダを付与され、コアフレームにカプセル化された後、出力リンク特定テーブル７４（図１０（ｂ））により、出力光パス２０２が特定され、コアネットワークＣＮＷに転送される。
【００６０】
ユーザ端末ＵＴ１からのユーザ端末ＵＴ６宛てのＩＰパケットは、送信元コアアドレス「コア＃１」および宛先コアアドレス「コア＃３＿Ｒ１」を保有するコアヘッダを付与され、コアフレームにカプセル化された後、出力リンク特定テーブル７４（図１０（ｂ））により、出力光パス２０２が特定され、コアネットワークＣＮＷに転送される。
【００６１】
ユーザ端末ＵＴ２からのユーザ端末ＵＴ５宛てのＩＰパケットは、送信元コアアドレス「コア＃２」および宛先コアアドレス「コア＃３＿Ｒ１」を保有するコアヘッダを付与され、コアフレームにカプセル化された後、出力リンク特定テーブル７４（図１０（ｂ））により、出力光パス２０２が特定され、コアネットワークＣＮＷに転送される。
【００６２】
ユーザ端末ＵＴ２からのユーザ端末ＵＴ６宛てのＩＰパケットは、送信元コアアドレス「コア＃２」および宛先コアアドレス「コア＃３＿Ｒ１」を保有するコアヘッダを付与され、コアフレームにカプセル化された後、出力リンク特定テーブル７４により、出力光パス２０２が特定され、コアネットワークＣＮＷに転送される。
【００６３】
〔光パスの設定要求〕
このような状態から、今、ユーザ端末ＵＴ１が、ユーザ端末ＵＴ５間の通信に新規の光パスの設定を要求したとする。
この場合、ユーザ端末ＵＴ１は、送信元ＩＰアドレス「ＩＰ＃１」と宛先ＩＰアドレス「ＩＰ＃５」を記述した光パス設定要求パケットを生成し、送信する。エッジルータＥＲ１は、受信フレーム処理部６６でユーザ端末ＵＴ１からの光パス設定要求パケットを受信する。
【００６４】
受信フレーム処理部６６は、光パス設定要求パケットを抽出し、光パス設定要求送信機能７０に転送する。光パス設定要求送信機能７０は、光パス設定要求パケットを受信した際に、自己が属するエッジルータＥＲ１が保有するコアアドレスプレフィックス「コア＃１」から、送信元コアアドレス「コア＃１」を生成し、光パス制御装置ＣＮＴが保有するコアアドレスプレフィックス「コア＃７」および、光パス制御装置ＣＮＴと接続性が確保されているリンクの経路識別子「Ｒ０」（デフォルト値としてスタティックに設定）から、宛先コアアドレス「コア＃７＿Ｒ０」を生成し、光パス設定要求を示すＩＰパケットをコアフレームにカプセル化し、サーバ接続機能７２へ転送する。
【００６５】
サーバ接続機能７２は、光パス設定要求送信機能７０から受信したコアフレームを、光パス制御装置ＣＮＴへ転送する。光パス制御装置ＣＮＴは、外部装置接続機能７５によって、光パス設定要求情報が記述されたコアフレームを受信する。外部装置接続機能７５は、コアフレームを経路設定機能７６へ転送する。
【００６６】
経路設定機能７６は、受信したコアフレームをデカプセル化し、エッジルータ特定機能７７を用い、ユーザ収容エッジルータ特定テーブル８１を参照して、そのＩＰパケットの送信元ＩＰアドレス「ＩＰ＃１」から宛先コアアドレスプレフィックス「コア＃１」を特定し、そのＩＰパケットの宛先ＩＰアドレス「ＩＰ＃５」から宛先コアアドレスプレフィックス「コア＃３」を特定し、光パスを割り当てるべきエッジルータＥＲ１およびＥＲ３を特定する。
【００６７】
さらに、パス設定判定機能７８を用いて、エッジルータＥＲ１およびＥＲ３間に光パスを設定すべきか否かを判断する。光パスを設定すべきと判断した際は、経路解析機能７９により、割り当てる光パスリソースを特定し、外部装置管理機能８０により、ネットワーク上の各装置のトポロジ情報および転送経路情報を変更することで、割り当てる光パスリソース（図９に示す転送経路（光パス）ＰＡ）を確保する。
【００６８】
この際、エッジルータＥＲ１の転送テーブル７３には、宛先ＩＰアドレス「ＩＰ＃５」など、エッジルータＥＲ３に収容されている一部の宛先ＩＰアドレスから、新設される光パスＰＡに割り当てられた経路識別子Ｒ２を特定するためのエントリが追加される（図１１（ａ）参照）。また、エッジルータＥＲ１の出力リンク特定テーブル７４には、宛先アドレス「コア＃３＿Ｒ２」から、新設される光パスＰＡに割り当てられたリンク２０４を特定するためのエントリが追加される（図１１（ｂ）参照）。
【００６９】
この後、エッジルータＥＲ１は、ユーザ端末ＵＴ５宛てのＩＰパケットを受信した際、転送テーブル７３（図１１（ａ））を参照し、ユーザ端末ＵＴ５宛てのＩＰパケットが保有する宛先ＩＰアドレス「ＩＰ＃５」から、コアアドレスプレフィックス「コア＃３」および経路識別子「Ｒ２」を特定する。
【００７０】
これにより、ユーザ端末ＵＴ１から送信されたユーザ端末ＵＴ５宛てのＩＰパケットは、送信元コアアドレス「コア＃１」および宛先コアアドレス「コア＃３＿Ｒ２」を保有するコアヘッダを付与され、コアフレームにカプセル化された後、出力リンク特定テーブル７４（図１１（ｂ））により、出力リンク２０４が特定され、コアネットワークＣＮＷに転送される。
【００７１】
また、ユーザ端末ＵＴ２から送信されたユーザ端末ＵＴ５宛てのＩＰパケットは、送信元コアアドレス「コア＃２」および宛先コアアドレス「コア＃３＿Ｒ２」を保有するコアヘッダを付与され、コアフレームにカプセル化された後、出力リンク特定テーブル７４により、出力リンク２０４が特定され、コアネットワークＣＮＷに転送される。
【００７２】
このようにして、本実施の形態では、送信元エッジルータＥＲ１と宛先エッジルータＥＲ３との間に光パスＰＡ（物理リンクおよび転送経路）が割り当てられる。
【００７３】
なお、ユーザ端末ＵＴ１から送信されたユーザ端末ＵＴ６宛てのＩＰパケットは、送信元コアアドレス「コア＃１」および宛先コアアドレス「コア＃３＿Ｒ１」を保有するコアヘッダを付与され、コアフレームにカプセル化された後、出力リンク特定テーブル７４により、出力リンク２０２が特定され、コアネットワークＣＮＷに転送される。
また、ユーザ端末ＵＴ２から送信されたユーザ端末ＵＴ６宛てのＩＰパケットは、送信元コアアドレス「コア＃２」および宛先コアアドレス「コア＃３＿Ｒ１」を保有するコアヘッダを付与され、コアフレームにカプセル化された後、出力リンク特定テーブル７４により、出力リンク２０２が特定され、コアネットワークＣＮＷに転送される。
【００７４】
〔光パスの開放要求〕
こような状態から、今、ユーザ端末ＵＴ１が、ユーザ端末ＵＴ１とユーザ端末ＵＴ５との間に設定されている光パスＰＡの開放を要求したとする。
この場合、ユーザ端末ＵＴ１は、送信元ＩＰアドレス「ＩＰ＃１」と宛先ＩＰアドレス「ＩＰ＃５」を記述した光パス開放要求パケットを生成し、送信する。エッジルータＥＲ１は、受信フレーム処理部６６で光パス開放要求パケットを受信する。
【００７５】
受信フレーム処理部６６は、光パス開放要求パケットを抽出し、光パス設定要求送信機能７０に転送する。光パス設定要求送信機能７０は、光パス開放要求パケットを受信した際に、自己が属するエッジルータＥＲ１が保有するコアアドレスプレフィックス「コア＃１」から、送信元コアアドレス「コア＃１」を生成し、光パス制御装置ＣＮＴが保有するコアアドレスプレフィックス「コア＃７」および、光パス制御装置ＣＮＴと接続性が確保されているリンクの経路識別子「Ｒ０」（デフォルト値としてスタティックに設定）から、宛先コアアドレス「コア＃７＿Ｒ０」を生成し、光パス開放要求を示すＩＰパケットをコアフレームにカプセル化し、サーバ接続機能７２へ転送する。
【００７６】
サーバ接続機能７２は、光パス設定要求送信機能７０から受信したコアフレームを、光パス制御装置ＣＮＴヘ転送する。光パス制御装置ＣＮＴは、外部装置接続機能７５によって、光パス開放要求情報が記述されたコアフレームを受信する。外部装置接続機能７５は、コアフレームを経路設定機能７６へ転送する。
【００７７】
経路設定機能７６は、受信したコアフレームをデカプセル化し、エッジルータ特定機能７７を用いて、そのＩＰパケットの送信元ＩＰアドレス「ＩＰ＃１」を参照することにより、送信元コアアドレスプレフィックス「コア＃１」を特定し、そのＩＰパケットの宛先ＩＰアドレス「ＩＰ＃５」を参照することにより、宛先コアアドレスプレフィックス「コア＃３」を特定し、光パスを開放すべきエッジルータＥＲ１およびＥＲ３を特定する。そして、経路解析機能７９により、開放する光パスを特定し、外部装置管理機能７６により、ネットワーク上の各装置のトポロジ情報および転送経路情報を変更することで、特定した光パスリソースを開放する。
【００７８】
この際、エッジルータＥＲ１の転送テーブル７３（図１１（ａ））からは、宛先ＩＰアドレス「ＩＰ＃５」から経路識別子「Ｒ２」を特定するためのエントリが削除され、エッジルータＥＲ１の出力リンク特定テーブル７４（図１１（ｂ））からは、宛先アドレス「コア＃３＿Ｒ２」から、光パスＰＡに割り当てられたリンク２０４を特定するためのエントリが削除される。
【００７９】
このように、この通信ネットワークでは、ユーザからの光パス設定要求を受理し、送信元エッジルータＥＲと宛先エッジルータＥＲとの間に光パスを割り当てることにより、既存のフォトニックネットワークを活かしつつ、ユーザ要求に応じて、特定のユーザを収容するエッジルータＥＲ間に、簡単かつ確実に、物理リンクおよび転送経路を動的に設定して、通信容量を一時的に拡張することで帯域保証型のネットワークサービスを提供する事を可能となる。
【００８０】
〔仮想プライベートネットワーク〕
なお、本実施の形態において、仮想プライベートネットワークを考慮する場合には、光パス制御装置ＣＮＴに、ユーザ収容エッジルータ特定テーブル８１を仮想プライベートネットワーク毎に作成し、パス設定要求に送信元ＩＰアドレスと宛先ＩＰドレスと仮想プライベートネットワークの識別子を記述するものとする。また、受信したパス設定要求にその識別子が記述されている仮想プライベートネットワークに対して作成されているユーザ収容エッジルータ特定テーブル８１を参照して、そのパス設定要求に記述されている送信元ＩＰアドレスが割り当てられた送信元のユーザ端末ＵＴを収容する送信元エッジルータＥＲを特定し、受信したパス設定要求にその識別子が記述されている仮想プライベートネットワークに対して作成されているユーザ収容エッジルータ特定テーブル８１を参照して、そのパス設定要求に記述されている宛先ＩＰアドレスが割り当てられた宛先のユーザ端末ＵＴを収容する宛先エッジルータＥＲを特定するようにする。
【００８１】
これにより、仮想プライベートネットワーク機能を提供するバックボーンネットワークにおいて考えられる、異なる仮想プライベートネットワーク間アドレス重複時においても、送信元ＩＰアドレスと宛先ＩＰアドレスと仮想プライベートネットワークの識別子が記述されたパス設定要求を受信した際に、特定のユーザ端末ＵＴを収容するエッジルータＥＲ間に、物理リンクおよび転送経路を動的に設定して、通信容量を一時的に拡張できる帯域保証型のネットワークサービスを提供することが可能となる。
【００８２】
なお、本実施の形態において、光パス制御装置ＣＮＴやエッジルータＥＲなどでの処理は、これらの装置に内蔵された中央演算処理装置（ＣＰＵ）が実行する。すなわち、ハードディスクなどにストアされた制御プログラムに従って、ＣＰＵが実行する。この制御プログラムは、フレキシブルディスク、ＣＤ−ＲＯＭ、メモリカードなどの記録媒体に記憶させた状態で提供可能である。
【図面の簡単な説明】
【００８３】
【図１】本発明に係る転送経路制御装置を含む通信ネットワークの一実施の形態を示すネットワークモデルを示す図である。
【図２】この通信ネットワークの物理モデルを例示する図である。
【図３】この通信ネットワークに設置されるエッジルータの構成例を示す図である。
【図４】この通信ネットワークに設置される光パス制御装置の構成例を示す図である。
【図５】エッジルータが保有する転送テーブルの一例を示す図である。
【図６】エッジルータが保有する出力リンク特定テーブルの一例を示す図である。
【図７】光パス制御装置が保有するユーザ収容エッジルータ特定テーブルの一例を示す図である。
【図８】この通信ネットワークにおける新規の光パスの割り当て前のネットワーク環境の一例を示す図である。
【図９】この通信ネットワークにおける新規の光パスの割り当て後のネットワーク環境の一例を示す図である。
【図１０】この通信ネットワークにおける新規の光パスの割り当て前の各種テーブル内容の一例を示す図である。
【図１１】この通信ネットワークにおける新規の光パスの割り当て後の各種テーブル内容の一例を示す図である。
【符号の説明】
【００８４】
ＵＴ（ＵＴ１〜ＵＴ８）…ユーザ端末、ＥＲ（ＥＲ１〜ＥＲ４）…エッジルータ、ＣＲ（ＣＲ１，ＣＲ２）…光コアルータ、ＣＮＴ…光パス制御装置、１６〜１９…ユーザ網、ＣＮＷ…コアネットワーク、ＩＮＷ…ＩＰネットワーク、２２〜６５…光パスＩＦ、６６…受信フレーム処理部、６７…パケット処理部、６８…フォワーディング処理部、６９…送信フレーム処理部、７０…光パス設定要求送信機能、７１…収容ユーザ特定機能、７２…サーバ接続機能、７３…転送テーブル、７４…出力リンク特定テーブル、７５…外部装置接続機能、７６…経路設定機能、７７…エッジルータ特定機能、７８…パス設定判定機能、７９…経路解析機能、８０…外部装置管理機能、８１…ユーザ収容エッジルータ特定テーブル、１０１〜１０８…リンク、２０１〜２０４…光パス、ＰＡ…新規の光パス。
【図１】
2006245894.tif 000003
【図２】
2006245894.tif 000004
【図３】
2006245894.tif 000005
【図４】
2006245894.tif 000006
【図５】
2006245894.tif 000007
【図６】
2006245894.tif 000008
【図７】
2006245894.tif 000009
【図８】
2006245894.tif 000010
【図９】
2006245894.tif 000011
【図１０】
2006245894.tif 000012
【図１１】
2006245894.tif 000013